(57)【要約】【課題】劣悪な環境下であっても、音響データ収集装置のマイクロフォンを保護して、その特性変化や劣化を抑制できるようにする。【解決手段】診断対象機器から発せられる音に応じた電気信号を生成する音響データ収集装置であって、感知した音に応じた電気信号を出力するマイクロフォンと、前記マイクロフォンの周囲を覆うカバーと、前記カバーにおける前記マイクロフォンの前方部分に設けられた開閉可能なシャッターと、前記シャッターの開閉を制御する制御部と、を備えることを特徴とする音響データ収集装置。【選択図】図１
2007205790.tif 000002
【特許請求の範囲】
【請求項１】
診断対象機器から発せられる音に応じた電気信号を生成する音響データ収集装置であって、
感知した音に応じた電気信号を出力するマイクロフォンと、
前記マイクロフォンの周囲を覆うカバーと、
前記カバーにおける前記マイクロフォンの前方部分に設けられた開閉可能なシャッターと、
を備えることを特徴とする音響データ収集装置。
【請求項２】
請求項１に記載の音響データ収集装置において、
前記シャッターの開閉を制御する制御部を備えることを特徴とする音響データ収集装置。
【請求項３】
請求項２に記載の音響データ収集装置であって、
前記制御部は、前記電気信号が音響診断信号として採取されている間のみ前記シャッターを開き、それ以外のときは前記シャッター閉じることを特徴とする音響データ収集装置。
【請求項４】
請求項１〜３のうち何れかに記載の音響データ収集装置であって、
圧縮空気を供給する機能を有する空気供給部と、
前記空気供給部から供給された圧縮空気を前記カバーの内側へ噴射する空気噴射部と、
をさらに備えることを特徴とする音響データ収集装置。
【請求項５】
請求項４に記載の音響データ収集装置であって、
前記制御部は、前記電気信号が音響測定信号として採取されている間は前記空気噴射部からの圧縮空気の噴射を停止させることを特徴とする音響データ収集装置。
【請求項６】
請求項１〜５のうち何れかに記載の音響データ収集装置において、
前記カバーの内面は、前記診断対象機器から発せられた音を前記マイクロフォンへ向けて反射する集音板として機能することを特徴とする音響データ収集装置。
【請求項７】
請求項１〜６のうち何れかに記載の音響データ収集装置であって、
前記シャッターは、断熱材により構成されていることを特徴とする音響データ収集装置。
【請求項８】
診断対象機器から発せられる音に応じた電気信号を生成する音響データ収集方法であって、
周囲がカバーで覆われると共に当該カバーの前方に開閉可能なシャッターが設けられたマイクロフォンにより、診断対象機器から発せられる音を感知し、感知した音に応じた電気信号に変換するステップと、
前記電気信号を音響測定信号として採取するステップと、
前記電気信号を音響測定信号として採取していない間は、前記シャッターを閉じ、前記電気信号を音響測定信号として採取している間は、前記シャッターを開けるステップと、
を備えることを特徴とする音響データ収集方法。
【発明の詳細な説明】
【技術分野】
【０００１】
各種機器から発せられる音を収集するのに用いられる音響データ収集装置及び方法に係り、特に、粉塵が多いなど劣悪な環境化での使用に適した音響データ収集装置及び方法に関する。
【背景技術】
【０００２】
従来より、回転機やボイラーなどの各種機器の状態を管理する方法として、機器から発生する音をマイクロフォンで集め、その音を測定する音響データ収集装置で分析して、機器の異常を検知することが行われている（例えば、特許文献１）。音響データ収集装置を用いたこうした方法においては、音を収集するマイクロフォンの特性を一定に維持できることが重要である。
【特許文献１】特開２００４−２７９０５６号公報
【発明の開示】
【発明が解決しようとする課題】
【０００３】
しかしながら、管理しようとする機器が粉塵の多い場所など劣悪な環境下にある場合、マイクロフォンに粉塵が付着してその特性が変化しあるいは劣化が早まったりしてしまう可能性がある。また、機器が高温である場合は、放射熱によってマイクロフォンの劣化が早まってしまう。
【０００４】
本発明は、上記の点に鑑みてなされたものであり、劣悪な環境下であっても、音響データ収集装置のマイクロフォンを保護して、その特性変化や劣化を抑制できるようにすることを目的とする。
【課題を解決するための手段】
【０００５】
第一の発明は、診断対象機器から発せられる音に応じた電気信号を生成する音響データ収集装置であって、
感知した音に応じた電気信号を出力するマイクロフォンと、
前記マイクロフォンの周囲を覆うカバーと、
前記カバーにおける前記マイクロフォンの前方部分に設けられた開閉可能なシャッターと、
を備えることを特徴とする音響データ収集装置である。
【０００６】
第二の発明は、第一の発明に記載の音響データ収集装置において、
前記シャッターの開閉を制御する制御部を備えることを特徴とする音響データ収集装置である。
【０００７】
第三の発明は、第二の発明に記載の音響データ収集装置であって、
前記制御部は、前記電気信号が音響診断信号として採取されている間のみ前記シャッターを開き、それ以外のときは前記シャッター閉じることを特徴とする音響データ収集装置である。
【０００８】
第四の発明は、第一から第三の発明のうち何れかに記載の音響データ収集装置であって、
圧縮空気を供給する機能を有する空気供給部と、
前記空気供給部から供給された圧縮空気を前記カバーの内側へ噴射する空気噴射部と、
をさらに備えることを特徴とする音響データ収集装置である。
【０００９】
第五の発明は、第四の発明に記載の音響データ収集装置であって、
前記制御部は、前記電気信号が音響測定信号として採取されている間は前記空気噴射部からの圧縮空気の噴射を停止させることを特徴とする音響データ収集装置である。
【００１０】
第六の発明は、第一から第五の発明のうち何れかに記載の音響データ収集装置において、
前記カバーの内面は、前記診断対象機器から発せられた音を前記マイクロフォンへ向けて反射する集音板として機能することを特徴とする音響データ収集装置である。
【００１１】
第七の発明は、第一から第六の発明のうち何れかに記載の音響データ収集装置であって、
前記シャッターは、断熱材により構成されていることを特徴とする音響データ収集装置である。
【発明の効果】
【００１２】
劣悪な環境下であっても、音響データ収集装置のマイクを保護し性能の維持を図ることが可能となる。
【発明を実施するための最良の形態】
【００１３】
図１は、本発明の一形態である音響データ収集装置１の全体構成図である。同図に示すように、本実施形態の音響データ収集装置１は、マイクロフォン１０、制御部２０、マイクカバー３０、シャッター４０、空気供給部５０、及び空気噴出部６０を備えている。
【００１４】
マイクロフォン１０は、感知した音を電気信号に変換する。この電気信号は制御部２０を介して適宜な記録装置７０に送信される。記録装置７０は、上記電気信号を記録する機能を有するものであればよく、例えば、デジタル信号に変換したうえでハードディスクドライブなどに記録するものでもよいし、あるいは、アナログ信号のままカセットテープ・レコーダー等に記録するものでもよい。また、記録装置７０は、音響データ収集装置１に内蔵されていても良いし、電気通信回線等で接続することで音響データ収集装置１の外に設置されても良い。
【００１５】
マイクカバー３０は、マイクロフォン１０を保護することができるカバーである。また、マイクカバー３０は、内面が例えば放物面形状を有する反射面を構成し、対象機器からの音をマイクロフォン１０に向けて集音すると共に、周囲からの雑音をマイクロフォン１０が感知するのを抑制する機能を有することとしても良い。
【００１６】
シャッター４０は、マイクカバー３０の前面（診断対象機器に向けられる面）に設けられ、この前面を開閉することができるものである。そして、音響データ収集装置１を使用しないとき（つまりマイクロフォン１０から出力される電気信号を音響診断信号として用いないとき）は、シャッター４０を閉じて、粉塵や診断対象機器の熱からマイクロフォン１０を保護することができる。一方、音響データ収集装置１を使用するとき（マイクロフォン１０から出力される電気信号を音響診断信号として用いるとき）は、シャッター４０を開いて、測定しようとする音をマイクロフォン１０で感知することができる。すなわち、制御部２０は記録装置７０から音響信号採取開始の制御信号を受けるとシャッター４０を開き、採取終了の信号を受けるとシャッター４０を閉じる。
【００１７】
ところで、シャッター４０は、マイクロフォン１０を的確に保護できれば良く、上下又は左右に動くことにより開閉するものであっても良く、また、カメラのシャッターのように中心に対して絞ったり開いたりすることで開閉するものであっても良い。また、シャッター４０の開閉は、手動でするものであっても良いが、電動式でも良く、空気圧式でも良い。空気圧式を利用する場合は、後述する空気供給部６０から空気を供給することにより開閉操作することができるようにしても良い。
【００１８】
空気供給部５０は、圧縮空気を空気噴出部６０に供給する。供給する空気は、コンプレッサー等により大気中の空気を取り込んで圧縮するものでも良いし、予め圧縮空気のタンクを備えておき、そのタンクから空気を取り出すこととしても良い。また、空気供給部５０は、シャッター４０が空気圧式で開閉する場合は、シャッター４０にも空気を提供することができる。
【００１９】
空気噴出部６０は、空気供給部５０から供給された圧縮空気をマイクカバー３０の内側及びマイクロフォン１０の先端の集音部に吹き付ける。例えば音響データ収集装置１が粉塵の多い場所に置かれている場合、これによりマイクロフォン１０及びマイクカバー３０の内側に付着した粉塵等を吹き飛ばすことができ、マイクロフォン１０の状態を良好に保つことができる。また、例えば音響データ収集装置１が放射熱を受けるような場所や高温であるような場所に置かれている場合、吹き付けた空気によりマイクロフォン１０を冷却して、その劣化を抑制することができる。
【００２０】
また、空気噴出部６０は、音響データ収集装置１を使用しないとき（マイクロフォン１０から出力される電気信号を音響診断信号として用いないとき）は、空気をマイクカバー３０の内側及びマイクロフォン１０の先端の収音部に吹き付け、粉塵や診断対象機器の熱からマイクロフォン１０を保護することができる。一方、音響データ収集装置１を使用するとき（マイクロフォン１０から出力される電気信号を音響診断信号として用いるとき）は、空気の噴出を停止して、空気の噴出に伴う雑音がマイクロフォン１０に感知されないようにすることができる。すなわち、制御部２０は記録装置７０から音響信号採取開始の制御信号を受けると、空気噴出部６０は空気の噴出を停止し、採取終了の信号を受けると空気噴出部６０はマイクロフォン１０に空気を吹き付ける。
【００２１】
さらに、上記のように、シャッター４０において空気圧式のシャッターを用いる場合には、空気供給部５０の圧縮空気をシャッター４０の駆動源とすることができる。
【００２２】
以上の通り、本発明の音響データ収集装置１において、音を測定しないときはシャッター４０を閉じることで、マイクロフォン１０を保護してマイクロフォン１０の特性変化や劣化を抑制することが可能となる。また、圧縮空気をマイクカバー３０の内側に吹き付けることで、マイクロフォン１０に付着した粉塵等を吹き飛ばしてマイクロフォン１０の状態を良好に保つことができ、また、音響データ収集装置１が高温環境下に置かれた場合に、吹き付けた空気によりマイクロフォン１０を冷却して、その劣化を抑制できるなどの効果も得られる。
【００２３】
なお、以上の実施形態の説明は、本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００２４】
【図１】本発明の一実施形態である音響データ収集装置１の全体構成図である。
【符号の説明】
【００２５】
１  音響データ収集装置
１０  マイクロフォン
２０  制御部
３０  マイクカバー
４０  シャッター
５０  空気供給部
６０  空気噴出部
７０  記録装置
【図１】
2007205790.tif 000003